(57)【要約】【課題】  コーナー窓がサッシを設置してからその間にコーナー方立を挿入設置する構造であることによる施工性の悪さと気密不良等の問題点を解消する。【解決手段】  コーナー方立２０を，方立基体２１と，サッシ縦枠６の交差連結面３１をなし方立基体２１のネジ受面２８にネジ固定面３３をネジ３８締着する方立クリップ３０に分離構成し，方立クリップ３０の交差連結面３１の先端に室外向き開口の受溝３２を設置してサッシ縦枠６の室内向きアンカー突条８を受入れるようにし，上記ネジ３８を仮締めして，コーナー方立２０に対して隣接する片側一方のサッシ縦枠６を仮止め設置した後に，他方のサッシ縦枠６をその後に設置し得るようにし，またネジ３８の本締めによりサッシ縦枠６双方を方立基体２１に引寄せつつ室外側に押圧しその見付フィン７を方立基体２１の気密材２４に圧接し得るようにする。【選択図】        図３
2006070458.tif 000002
【特許請求の範囲】
【請求項１】
方立基体と，該方立基体にネジ締着することによって方立基体の出隅又は入隅方向に引寄せ自在に配置して隣接するサッシ縦枠の交差連結面をなす方立クリップとを備えて形成したコーナー方立を用い，その上記方立クリップの上記交差連結面に配置した室外向き開口の受溝に各サッシ縦枠背面の室内向き突条を受入れて上記ネジ締着の方立クリップ引寄せに伴って隣接双方のサッシ縦枠を方立基体の出隅又は入隅方向に押圧し該隣接するサッシ縦枠の室外側端部を方立基体に設置した縦枠受面に気密材を介してそれぞれ圧接することによって隣接双方のサッシ縦枠をコーナー方立によって連結してなることを特徴とするコーナー方立を用いた連装サッシ。
【請求項２】
上記方立クリップの室外向き開口の受溝に受入れる室内向き突条を，サッシ縦枠背面に室内外方向に対向突出したアンカー固定用のアンカー突条としてなることを特徴とする請求項１に記載のコーナー方立を用いた連装サッシ。
【請求項３】
方立基体と，該方立基体にネジ締着することによって方立基体の出隅又は入隅方向に引寄せ自在に配置して隣接するサッシ縦枠の交差連結面をなす方立クリップとを備えて形成したコーナー方立を用い，その上記方立クリップ一方の交差連結面に配置した室外向き開口の受溝に隣接一方のサッシ縦枠背面の室内向き突条を受入れて上記ネジ締着のネジを仮締めすることによって隣接一方のサッシ縦枠をコーナー方立の片側一方に仮止め設置する一方のサッシ縦枠仮止め工程と，同じく方立クリップ他方の交差連結面に配置した室外向き開口の受溝に隣接他方のサッシ縦枠背面の室内向き突条を受入れて上記仮締めしたネジを本締めすることによって隣接するサッシ縦枠を方立基体の出隅又は入隅方向に押圧し該隣接するサッシ縦枠の室外側端部を方立基体に設置した縦枠受面に気密材を介してそれぞれ圧接することによって隣接双方のサッシ縦枠をコーナー方立によって連結する本止め工程とを備えることを特徴とするサッシ連装方法。
【発明の詳細な説明】
【技術分野】
【０００１】
本発明は，建物のコーナーにおいて出隅又は入隅のビル用のサッシ窓を形成するに好適に使用し得るコーナー方立を用いた連装サッシ及びそのサッシ連装方法に関する。
【背景技術】
【０００２】
この種連装サッシは，例えば隣接するサッシ縦枠の交差連結面を有するコーナー方立を用い，その各交差連結面に配置した室内外一対にして室内向き開口の受溝に各サッシ縦枠背面に設置したアンカーの室外向き突条乃至背面設置に固定した連結金具の室外向き突起を２箇所で受入れて隣接するサッシ縦枠の室内側フィン間に介設した短幅クリップをコーナー方立のネジ受面にネジ締着し，該ネジ締着の方立クリップ引寄せに伴って隣接双方のサッシ縦枠をそれぞれ室外側に押圧するとともに該隣接するサッシ縦枠の室外側端部を方立基体に設置した縦枠受面に気密材を介してそれぞれ圧接することによって隣接双方のサッシ縦枠を連結したものとされている。
【０００３】
【非特許文献１】トステム株式会社２００３年３月１日発行                      「ビル用総合カタログ」１３０頁所載「コーナー方立」横断面図
【発明の開示】
【発明が解決しようとする課題】
【０００４】
この場合コーナー方立の受溝は室内向き開口であり，該室内向き開口の受溝にサッシ縦枠におけるアンカーの室外向き突条乃至連結金具の室外向き突起を受け入れて隣接双方のサッシ縦枠を連結するものとされるから，コーナー方立とサッシ縦枠の設置は，躯体に先付設置された隣接するサッシ縦枠間にその室外側からコーナー方立を後付的に挿入設置することによって，その室内外一対の受溝に対してサッシ縦枠の２箇所の突条乃至突起をそれぞれ受入れるようにすることが必要となる。
【０００５】
しかし乍ら，例えばＲＣ納まりの場合，コンクリート躯体におけるサッシ取付開口には，その上端室外側に部分的に垂下して開口部上方の上面を倒Ｌ字状とするように顎が設置されていることが多く，また例えばサッシの先付設置時にサッシ下枠に水切皿板が設置されている場合も多く，これら顎や水切皿板が存在する場合には，サッシ取付開口における室外側開口高さが縮小されていることになるために，サッシ縦枠と同長に形成されているコーナー方立を室外側から挿入設置することができず，施工工事のやり直しが必要となるという問題点がある。更にコーナー方立の設置には，その室内外一対の受溝にサッシ縦枠の突条乃至突起を２箇所，即ち隣接するサッシ縦枠との間では合計４箇所で受入れることが必要となるが，隣接するサッシの各先付設置を，コーナー方立の挿入を想定して予め受溝と突条乃至突起の正確な位置関係を確保するように行なうのは必ずしも容易ではなく，そのための作業が煩雑となって施工性が劣る傾向が生じる上，該合計４箇所の受入れによってサッシ縦枠の室外側端部と縦枠受面との気密材を介した圧接を行なうために，受溝と突条乃至突起の関係が僅かにずれた状態に設置されると圧接が不充分となって気密性や水密性の確保が設計のとおりに得られないという問題点もある。
【０００６】
本発明はかかる事情に鑑みてなされたもので，その解決課題とするところは，可及的簡易な構造によって可及的簡易に隣接するサッシ縦枠との連結を可能としてサッシ連装工事の施工性を可及的高度に確保するとともに気密性と水密性を高度に確保し得るようにしたコーナー方立を用いた連装サッシを提供するにあり，また該コーナー方立を用いたサッシ連装方法を提供するにある。
【課題を解決するための手段】
【０００７】
上記課題に添って本発明は，コーナー方立を，方立基体及び隣接するサッシ縦枠の交差連結面を有する方立クリップを備えた構造とし，この方立クリップを方立基体に対してネジ締着することによって，方立基体の中心線室外側方向，即ち出隅又は入隅方向に向けて該方立クリップを引寄せ自在とする一方，方立クリップの交差連結面と隣接するサッシ枠とを，方立クリップ側における室外向き開口の受溝にサッシ枠背面側における室内向きの突条を受入れ可能，即ち先付仮設置したコーナー方立に対してサッシ枠を後付け的に設置してその連結をなし得るようにして，例えば一方の交差連結面の受溝に隣接する一方のサッシ縦枠における突条を受入れた状態で方立クリップを方立基体に対してネジによって仮締めし，その後に他方の交差連結面の受溝に他方のサッシ縦枠における突条を同様に受入れた状態でネジを本締めする２段階のネジ締着を行なうことによって，コーナー方立に対して各サッシ縦枠の設置をなし得るようにし，またこのネジの本締めによる方立クリップの出隅又は入隅方向の引寄せに伴って突条受入れ状態のサッシ縦枠を同時に方立基体の出隅又は入隅方向に押圧することによって，隣接するサッシ縦枠を方立基体側に引寄せながら方立基体の縦枠受面にの各室外側端部を定位置で圧接させるようにして，サッシ連装工事の施工性の確保，気密性と水密性の確保をともに高度になし得るようにしたものであって，即ち請求項１に記載の発明を，方立基体と，該方立基体にネジ締着することによって方立基体の出隅方向に引寄せ自在に配置して隣接するサッシ縦枠の交差連結面をなす方立クリップとを備えて形成したコーナー方立を用い，その上記方立クリップの上記交差連結面に配置した室外向き開口の受溝に各サッシ縦枠背面の室内向き突条を受入れて上記ネジ締着の方立クリップ引寄せに伴って隣接双方のサッシ縦枠を方立基体の出隅方向に押圧し該隣接するサッシ縦枠の室外側端部を方立基体に設置した縦枠受面に気密材を介してそれぞれ圧接することによって隣接双方のサッシ縦枠をコーナー方立によって連結してなることを特徴とするコーナー方立を用いた連装サッシとしたものである。
【０００８】
請求項２に記載の発明は，上記方立クリップの室内向き突条を，ビル用サッシにおけるサッシ縦枠がそれ自体有するアンカー突条とすることによって，上記コーナー方立による連装に際して殊更に室内向き突条を設置するという措置を必要とすることなく，アンカー固定用のサッシ縦枠をそのまま共用して連装サッシを構成し得るものとするように，これを，上記方立クリップの室外向き開口の受溝に受入れる室内向き突条を，サッシ縦枠背面に室内外方向に対向突出したアンカー固定用のアンカー突条としてなることを特徴とする請求項１に記載のコーナー方立を用いた連装サッシとしたものである。
【０００９】
請求項３に記載の発明は，上記ネジの仮締めと本締めによる２段階のネジ締着を利用して，上記コーナー方立を用いてサッシ連装工事の施工性の確保，気密性と水密性の確保をともに高度になし得る好ましい形態のサッシ連装方法を提供するように，これを，方立基体と，該方立基体にネジ締着することによって方立基体の出隅方向に引寄せ自在に配置して隣接するサッシ縦枠の交差連結面をなす方立クリップとを備えて形成したコーナー方立を用い，その上記方立クリップ一方の交差連結面に配置した室外向き開口の受溝に隣接一方のサッシ縦枠背面の室内向き突条を受入れて上記ネジ締着のネジを仮締めすることによって隣接一方のサッシ縦枠をコーナー方立の片側一方に仮止め設置する一方のサッシ縦枠仮止め工程と，同じく方立クリップ他方の交差連結面に配置した室外向き開口の受溝に隣接他方のサッシ縦枠背面の室内向き突条を受入れて上記仮締めしたネジを本締めすることによって隣接するサッシ縦枠を方立基体の出隅方向に押圧し該隣接するサッシ縦枠の室外側端部を方立基体に設置した縦枠受面に気密材を介してそれぞれ圧接することによって隣接双方のサッシ縦枠をコーナー方立によって連結する本止め工程とを備えることを特徴とするサッシ連装方法としたものである。
【００１０】
本発明はこれらをそれぞれ発明の要旨として上記課題解決の手段としたものである。
【発明の効果】
【００１１】
本発明は以上のとおりに構成したから，請求項１に記載の発明は，コーナー方立を，方立基体及び隣接するサッシ縦枠の交差連結面を有する方立クリップを備えた構造とし，この方立クリップを方立基体に対して２段階のネジ締着を行なうことによってコーナー方立に対して各サッシ縦枠の後付的な設置をなし得るようにし，またネジの本締めによる方立クリップの出隅又は入隅方向の引寄せに伴って突条受入れ状態のサッシ縦枠を同時に方立基体の出隅又は入隅方向に押圧して，隣接するサッシ縦枠を方立基体側に引寄せながら方立基体の縦枠受面に各室外側端部を定位置で圧接させるようにして，簡易な構造によって簡易に隣接するサッシ縦枠との連結を可能としてサッシ連装工事の施工性を可及的高度に確保するとともに気密性と水密性を高度に確保し得るようにしたコーナー方立を用いた連装サッシを提供することができる。
【００１２】
請求項２に記載の発明は，上記方立クリップの室内向き突条を，ビル用サッシにおけるサッシ縦枠がそれ自体有するアンカー突条とすることによって，上記コーナー方立による連装に際して殊更に室内向き突条を設置するという措置を必要とすることなく，アンカー固定用のサッシ縦枠をそのまま共用して連装サッシを構成し得るものとすることができる。
【００１３】
請求項３に記載の発明は，上記ネジの仮締めと本締めによる２段階のネジ締着を利用して，上記コーナー方立を用いてサッシ連装工事の施工性の確保，気密性と水密性の確保をともに高度になし得る好ましい形態のサッシ連装方法を提供することができる。
【発明を実施するための最良の形態】
【００１４】
以下図面の例に従って本発明を更に具体的に説明すれば，図１乃至図４において，２は，例えば顎付きのコンクリート躯体１のサッシ取付開口に，出隅用のコーナー方立２０を用いて設置した連装サッシ，即ちコーナー窓であり，このときコーナー方立２０は，これを，方立基体２１と，該方立基体２１にネジ３８締着することによって方立基体２１の出隅方向に引寄せ自在に配置して隣接するサッシ縦枠６の交差連結面３１をなす方立クリップ３０とを備えて形成したものとしてあり，該コーナー方立２１を用いた連装サッシ２は，上記方立クリップ３０の上記交差連結面３１に配置した室外向き開口の受溝３２に各サッシ縦枠６背面の室内向き突条８を受入れて上記ネジ３８締着の方立クリップ２１引寄せに伴って隣接双方のサッシ縦枠６を方立基体２１の出隅方向に押圧し該隣接するサッシ縦枠６の室外側端部を方立基体２１に設置した縦枠受面２３に気密材２４を介してそれぞれ圧接することによって隣接双方のサッシ縦枠６をコーナー方立２０によって連結したものとしてある。
【００１５】
即ち連装サッシ２は，サッシ枠４と該サッシ枠４内に，例えば引違い開閉自在に装着したサッシ戸１０とを備えた一対のサッシ３を，上記出隅用のコーナー方立２０によってコンクリート躯体１間に平面Ｌ字状に配置してコーナー窓を形成するものとしてあり，サッシ枠４は上下のサッシ横枠５に左右のサッシ縦枠６を枠組みしたものを用い，またサッシ戸１０は上下左右の框１１を框組みした各サッシ３に室内外一対のものとしてあり，このとき本例のサッシ枠４及びサッシ戸１０はそれぞれアルミ押出形材製のものとするとともに室内側に断熱と化粧を兼ねた合成樹脂プレート１２を付設したものとしてある。
【００１６】
本例にあってコーナー方立２０は，上記方立基体２１及び方立クリップ３０を同じくアルミ押出形材製としてあり，方立基体２１は，コーナー方立２０の室外側を画して出隅を形成する９０°をなす室外側Ｌ字面２２と，該室外側Ｌ字面２２の両側に縦枠受面２３を突出形成するように両端部を残した位置から室内側に突出し，突出位置からそれぞれ上記室外側Ｌ字面２２に平行の平行面２６とし且つその突出方向先端間に室外側Ｌ字面２２に直交するネジ受面２８を交差配置した室内側区画面２５とを備えたものとしてある。
【００１７】
このとき上記縦枠受面２３には，それぞれ室内側に開口したＣ字溝を配置するとともに該Ｃ字溝にＴ字状の気密材２４を設置し，上記ネジ受面２８にはそのコーナー方立の中央線との交点位置に長手方向複数の雌ネジ加工によるナット２９を設置し，また上記室内側区画面２５の長手方向中間位置には方立クリップ３０の位置決め用にして内側傾斜の小突条２７をそれぞれ設置したものとしてある。
【００１８】
本例にあって方立クリップ３０は，該方立クリップ３０の室内側を画して隣接するサッシ縦枠６を連結するように室内側にＬ字面をなす交差連結面３１と，その室外側に上記方立基体２１のネジ受面２８に面接状に対接するネジ固定面３３と，交差連結面３１の交差位置で室内側に突出して，後述の目隠しプレート３９を設置するための平面Ｃ字状にしてスナップイン用のプレート受３７とを備えたものとしてある。
【００１９】
このとき上記交差連結面３１は，その室外側先端に室内側に向けて開口した断面コ字状の受溝３２を設置したものとしてあり，このとき該交差連結面３１における受溝３２の先端位置は，これを上記方立基体２１の気密材２４との間に，サッシ縦枠６が室外側端部に備えた見切フィン７の肉厚に応じてこれと同等乃至それ以下の寸法の空隙を形成するように，方立基体２１の室外側Ｌ字面２２より幾分短めの位置となるようにしてある。ネジ固定面３３は，方立基体２１のネジ受面２８における上記ナット２９と幅方向，高さ方向にそれぞれ同位置をなすように複数のネジ透孔を透設し，その幅方向両端を方立基体の平行面から浮上り状としてその先端に上記方立基体の小突条の傾斜案内によって該平行面に対接する小脚条３４を設置し，これによってネジ受面２８に対してネジ固定面３３が幾分のスプリングを効かせて対接して方立基体２１に対する方立クリップ３０の固定を強固且つ確実になし得るようにしてある。該小脚条３４はこれを交差連結面３１の裏面，即ち室外面側に延長することによって該ネジ固定面３３を交差連結面３１に対して一体化してある。またプレート受３７のベースをなし，上記交差連結面３１を室内端で連結するように配置した連結プレート３６には，上記ネジ固定面３３と同位置にネジ３８の頭を通過させる径大にして複数のネジ透孔を透設してある。
【００２０】
３５は方立クリップ３０の上記交差連結面３１とネジ固定面３３を幅方向中間で補強的に連結する連結板である。
【００２１】
このように形成した方立基体２１と方立クリップ３０によるコーナー方立２０を用いた連装サッシ２は，例えばコーナー方立２０に対してサッシ枠４を後付的に設置してその連結をなし得るように該コーナー方立２０に対して上記方立基体２１に対する方立クリップ３０のネジ３８締着を仮締めと本締めの２段階締着とすることによって，出隅に位置する隣接双方のうちの一方のサッシ縦枠６を先に，他方のサッシ縦枠６をその後に連結する如くにその連装をなし得るようにするとともにネジ３８の本締めによる方立クリップ３０の出隅方向の引寄せに伴って突条８受入れ状態のサッシ縦枠６を同時に方立基体２１の出隅方向に押圧して，隣接するサッシ縦枠６を方立基体２１側に引寄せながら方立基体２１の縦枠受面２３に各室外側端部を定位置で圧接させるようにその連装を行なうようにしてある。
【００２２】
即ちその連装方法は，例えばコーナー方立２０の上記方立クリップ３０一方の交差連結面３１に配置した室外向き開口の受溝３２に隣接一方のサッシ縦枠６背面の室内向き突条８を受入れて上記ネジ締着のネジ３８を仮締めすることによって隣接一方のサッシ縦枠６をコーナー方立２０の片側一方に仮止め設置する一方のサッシ縦枠仮止め工程と，同じく方立クリップ３０他方の交差連結面３１に配置した室外向き開口の受溝３２に隣接他方のサッシ縦枠６背面の室内向き突条８を受入れて上記仮締めしたネジ３８を本締めすることによって隣接するサッシ縦枠６を方立基体２１の出隅又は入隅方向に押圧し該隣接するサッシ縦枠６の室外側端部を方立基体２１に設置した縦枠受面２３に気密材２４を介してそれぞれ圧接することによって隣接双方のサッシ縦枠６をコーナー方立２０によって連結する本止め工程とを備えるものとしてある。
【００２３】
このとき本例の上記方立クリップ３０の室外向き開口の受溝３２に受入れる室内向き突条８は，これを，サッシ縦枠６背面に室内外方向に対向突出したアンカー１３固定用のアンカー突条，特に一対のアンカー突条における室外側に位置して室内側に向けて，本例にあっては該サッシ縦枠６の室外側端部の見切フィン７の背面側に室内側に向けて突設したアンカー突条によるものとしてある。
【００２４】
本例の連装方法にあって，サッシ縦枠仮止め工程は，例えば図４に示すごとくに，出隅の連装サッシ２を構成する一方のサッシ３のサッシ縦枠６の上記室内向き突条８，本例にあってはアンカー突条を，方立クリップ３０の該サッシ縦枠６に対応する一方の交差連結面３１における室外向き開口の受溝３２に受入れ，上記サッシ縦枠６の見切フィン７の先端を方立基体２１の上記気密材２４の間に受入れた状態として，方立クリップ２０のネジ固定面３３を方立基体２１のネジ受面２８に対接し，連結プレート３６のネジ透孔からネジ固定面３３のネジ透孔を介して方立基体２１の中心線上室外方向，即ち出隅方向に向けたネジ３８をネジ受面２８のナット２９に対して仮締めし，コーナー方立２０に対して一方のサッシ枠４，即ちそのサッシ縦枠６を仮設置した状態としてこれを行なうものとしてある。このときコーナー方立２０とサッシ枠４はコンクリート躯体１に未固定の状態であるから，例えばコーナー方立２０乃至サッシ枠４の上下位置にそれぞれ楔の如くにコンクリート躯体１との空隙を埋めるスペーサーを使用する等してその仮設置をなし得るようにすればよく，またこのときネジ３８の仮締めは，該方立クリップ２０における他方の交差連結面３１先端の受溝３２と方立基体２１他方の気密材２４との間に隙間を形成して該方立クリップ２０がやや揺動するようにこれを行うものとしてある。
【００２５】
仮止め工程に続く，隣接双方のサッシ縦枠６をコーナー方立２０によって連結する本止め工程は，上記仮締めして一方のサッシ枠６を仮設置したコーナー方立２０の方立クリップ３０他方の交差連結面３１の室外向き開口の受溝３２に，他方のサッシ縦枠６の室内向き突条８，本例にあっては同じくアンカー突条を受入れ，上記やや揺動することによって拡大し得るようにした先端の受溝３２と方立基体２１他方の気密材２４間の隙間に該サッシ縦枠６の見切フィン７を挿入するように，該他方のサッシ枠４，即ちそのサッシ縦枠６を仮設置し，必要に応じて同様にスペーサーを使用する等してその状態を維持し，その後にネジ３８をナット２９に対して本締めすることによってこれを行なうものとしてある。
【００２６】
このネジ３８の本締めによって，方立クリップ３０は方立基体２１の出隅方向に向けて引寄せられるとともに上記室内向き突条８を受入れた交差連結面３１先端の受溝３２が，未固定のサッシ縦枠６を同時に方立基体２１の出隅方向に押圧するとともに隣接するサッシ縦枠６双方を方立基体２１側に引寄せ，該引寄せ押圧の状態でサッシ縦枠６の見切フィン７は受溝３２先端と方立基体２１両側の縦枠受面２３に，該方立基体２１側設置の気密材２４を介して，これらに強固に挟持されるように圧接するに至り，隣接双方のサッシ枠４，即ちサッシ縦枠６をコーナー方立２０に対して強固に連結するとともにこれらの間の気密性や水密性を高度に確保し得るものとなる。
【００２７】
その後にコンクリート躯体１との間でアンカー１３固定やモルタル１４充填等のサッシ枠４を固定するための固定措置を施し，また上記プレート受３７に対して室内側から目隠しプレート３９をスナップイン固定する等の仕上措置を施すようにすればよい。
【００２８】
図中９は水切皿板，１５はコンクリート躯体１の室内側に設置した断熱材，１６は室内側の額縁，１７は防水措置のためにコンクリート躯体１とサッシ枠６間に配置したシーリングを示す。
【００２９】
図５乃至図７は他の例を示すもので，図５は上記図１乃至図４の例と同一のコーナー方立２０を使用して隣接する一方のサッシ３を引違いサッシ，他方のサッシ３を嵌め殺しサッシとした例であり，この場合嵌め殺しサッシのサッシ縦枠６の位置が幾分該サッシの面内方向に移動した状態に設置された点を除いて，コーナー方立２０とサッシ縦枠６の関係は上記例と同じである。
【００３０】
図６及び図７は，上記コーナー方立に代えて，例えばサッシ３を室外側にせり出し状に設置するＡＬＣ半外付納まりのサッシ連装に使用できるようにしたコーナー方立２０を用いた例であり，この場合，サッシ枠４のアンカー突条の位置が室内側に変位し，その室内向き突条８をなす室外側に位置するアンカー突条の位置が，サッシ縦枠６の室内外方向中間位置となり，またサッシ縦枠６のアンカー突条より室外側にはホロー部が形成されているために，方立クリップ３０の交差連結面３１の長さ（出幅）を縮小して，これをサッシ縦枠６のホロー部位置までとし，その先端に室外向き開口の受溝３２を設置するようにして該半外付納まりのサッシ３に対応して，該受溝３２にその室内向き突条８をなす上記アンカー突条を受入れるようにするとともに交差連結面３１とネジ固定面３３との連結，小脚条３４の位置等に部分的な変更を加え，上記方立基体２１を共通に使用しながら，該方立基体２１に対する方立クリップ３０の設置とサッシ縦枠６の連装をなし得るようにしたものである。このとき図６は隣接する双方を引違いサッシの連装とした例，図７は隣接する一方のサッシを引違いサッシ，他方のサッシを嵌め殺しサッシの連装とした例である。
【００３１】
その余は上記例と変らないので同一符合を付してその重複する説明を省略する。
【００３２】
図示した例は以上のとおりとしたが，コーナー方立を入隅用に設定したものとして方立クリップの引寄せを入隅方向に行い，またこれに伴ってサッシ縦枠の押圧を入隅方向に行なうようにすること，方立基体を，例えば１２０°，１３５°等適宜の角度の室外側Ｖ字面を備えたものとすること等を含めて，本発明の実施に当って，コーナー方立，方立基体，方立クリップ，交差連結面，室外向き開口の受溝，縦枠受面，サッシ縦枠，室内向き突条，室外側端部，気密材等の各具体的形状，構造，材質，これらの関係，コーナー方立を用いた連装の方法，その仮止め工程，本止め工程等の各具体的工程，方法，これらの関係，更にこれらに対する付加等は，上記発明の要旨に反しない限り様々な形態のものとすることができる。
【図面の簡単な説明】
【００３３】
【図１】出隅に設置した連装サッシの横断面図である。
【図２】片側のサッシの縦断面図である。
【図３】図１のコーナー方立部分の拡大横断面図である。
【図４】片側のサッシをコーナー方立に仮設置した状態を示す横断面図である。
【図５】他の例のコーナー方立部分の拡大横断面図である。
【図６】他の例の方立クリップを用いたコーナー方立部分の拡大横断面図である。
【図７】他の例のコーナー方立部分の拡大横断面図である。
【符号の説明】
【００３４】
２  連装サッシ
６  サッシ縦枠
８  室内向き突条
２０  コーナー方立
２１  方立基体
２３  縦枠受面
２４  気密材
２８  ネジ受面
２９  ナット
３０  方立クリップ
３１  交差連結面
３２  受溝
３３  ネジ固定面
３８  ネジ
【図１】
2006070458.tif 000003
【図２】
2006070458.tif 000004
【図３】
2006070458.tif 000005
【図４】
2006070458.tif 000006
【図５】
2006070458.tif 000007
【図６】
2006070458.tif 000008
【図７】
2006070458.tif 000009